(57)【要約】【課題】国外のインフルエンサと国内の企業または自治体を効率的にマッチングすることができるインフルエンサマッチングシステムを提供することを目的とする。【解決手段】国外のインフルエンサと国内の企業または自治体とをマッチングするためのインフルエンサマッチングシステムである。当該システムのサーバコンピュータ３は、インフルエンサに関する情報が登録されるインフルエンサ情報データベース部３２と、企業または自治体の情報端末に対して、インフルエンサ情報データベース部３２に登録されているインフルエンサに関する情報を出力するインフルエンサ情報出力部３４３とを備え、インフルエンサ情報出力部３４３は、企業または自治体の情報端末に対して、企業または自治体が所在する国または地域におけるインフルエンサの現在または将来の訪問に関する情報を出力する【選択図】図１
2020113153.tif 000002
【特許請求の範囲】
【請求項１】
国外のインフルエンサと国内の企業または自治体とをマッチングするためのインフルエンサマッチングシステムであって、
インフルエンサの情報端末と、企業または自治体の情報端末と、インフルエンサの情報端末並びに企業または自治体の情報端末とネットワークを介して接続されたサーバコンピュータとを備え、
前記サーバコンピュータは、
インフルエンサに関する情報が登録されるインフルエンサ情報データベース部と、
企業または自治体の情報端末に対して、前記インフルエンサ情報データベース部に登録されているインフルエンサに関する情報を出力するインフルエンサ情報出力部とを備え、
インフルエンサに関する情報は、企業または自治体が所在する国または地域におけるインフルエンサの現在または将来の訪問に関する情報が含まれ、
前記インフルエンサ情報出力部は、企業または自治体の情報端末に対して、企業または自治体が所在する国または地域におけるインフルエンサの現在または将来の訪問に関する情報を出力することを特徴とするインフルエンサマッチングシステム。
【請求項２】
前記インフルエンサ情報出力部は、企業または自治体が所在する国または地域におけるインフルエンサの現在または将来の訪問に関する情報に基づいて、インフルエンサの現在または将来の所在地を地図情報上に出力する請求項１に記載のインフルエンサマッチングシステム。
【請求項３】
前記サーバコンピュータは、
企業または自治体に関する情報が登録される企業等情報データベース部と、
インフルエンサの情報端末に対して、前記企業等情報データベース部に登録されている企業または自治体に関する情報を出力する企業等情報出力部とを備える請求項１または請求項２に記載のインフルエンサマッチングシステム。
【請求項４】
前記サーバコンピュータは、インフルエンサの情報端末と企業または自治体の情報端末の間において連絡の仲介処理を行う仲介処理部が設けられている請求項１から請求項３のいずれかに記載のインフルエンサマッチングシステム。
【請求項５】
前記サーバコンピュータは、インフルエンサの情報端末あるいは企業または自治体の情報端末から送信されてきた所定の情報の言語を異なる言語に翻訳する翻訳部が設けられている請求項１から請求項４のいずれかに記載のインフルエンサマッチングシステム。
【発明の詳細な説明】
【技術分野】
【０００１】
本発明は、国外のインフルエンサと国内の企業または自治体をマッチングするためのインフルエンサマッチングシステムに関するものである。
【背景技術】
【０００２】
近年、フェイスブック（登録商標）、ツイッター（登録商標）、ＬＩＮＥ（登録商標）を初めとするＳＮＳ（ソーシャル・ネットワーキング・サービス）の普及に伴って、世界中の多くの者が様々な情報を発信しており、それらの情報が口コミで世界中に拡散されている。そして、企業や自治体にとっても、従来のテレビ、新聞あるいは雑誌のようなマスコミによる情報発信に代わって、ＳＮＳによる情報発信が極めて重要になってきており、ＳＮＳの活用次第で商品やサービスの売り上げに影響するようになってきている。
【０００３】
このＳＮＳによる情報発信において、世間に大きな影響を与える人物、特に人々の消費行動に強い影響を与える人物としてインフルエンサが知られている。具体的には、ブロガー、ＹｏｕＴｕｂｅｒｓ、Ｉｎｓｔａｇｒａｍｍｅｒｓ，ジャーナリスト、メディアライター、ミュージシャン、スポーツ選手、料理人、ビジネスパーソン、アーティスト、モデル、作家などが挙げられる。このインフルエンサに企業が自社利益のためアプローチし良質な口コミを広げることをインフルエンサ・マーケティングといい、これにより莫大が利益をあげているインフルエンサも存在している。
【０００４】
一方、最近では、日本において、数千万人以上の多くの外国人旅行者が日本を訪問しており、日本の企業は自治体にとってこれらの外国人旅行者に商品やサービスの宣伝を行うことが重要になってきている。このため、企業や自治体にとって、外国人旅行者に自分たちの商品やサービスを知ってもらうため、上述のインフルエンサにいかに商品やサービスを紹介してもらえるかがインフルエンサ・マーケティングの要となる。
【０００５】
このことから、企業や自治体が自分たちにとって有効なインフルエンサを発見してコンタクトをとる必要があるが、このインフルエンサを発見するためのシステムも数多く提案されている（例えば、特許文献１〜３参照）。
【先行技術文献】
【特許文献】
【０００６】
【特許文献１】特開２０１６−０４５９００号公報
【特許文献２】特開２０１４−０７８０５４号公報
【特許文献３】特開２０１２−０４８６８３号公報
【発明の概要】
【発明が解決しようとする課題】
【０００７】
しかしながら、一般にインフルエンサは世界中に所在しており、企業や自治体がそれらのインフルエンサを発見したとしても連絡を取ることは容易ではない。しかも、仮に企業や自治体がインフルエンサに連絡が取れたとしても、インフルエンサが自分たちの国や地域を訪問する予定がなければ、インフルエンサに対して高額な渡航費を支払わない限り、インフルエンサに自分たちの商品やサービスに触れてもらうことができない。このため、国内の企業または自治体にとって、外国のインフルエンサに連絡を取ることは事実上、極めて困難であるという問題があった。
【０００８】
本発明は、上述の問題に鑑みてなされたものであり、国外のインフルエンサと国内の企業または自治体を効率的にマッチングすることができるインフルエンサマッチングシステムを提供することを目的とする。
【課題を解決するための手段】
【０００９】
本発明は、上記目的を達成するために、国外のインフルエンサと国内の企業または自治体とをマッチングするためのインフルエンサマッチングシステムであって、インフルエンサの情報端末と、企業または自治体の情報端末と、インフルエンサの情報端末並びに企業または自治体の情報端末とネットワークを介して接続されたサーバコンピュータとを備え、前記サーバコンピュータは、インフルエンサに関する情報が登録されるインフルエンサ情報データベース部と、企業または自治体の情報端末に対して、前記インフルエンサ情報データベース部に登録されているインフルエンサに関する情報を出力するインフルエンサ情報出力部とを備え、インフルエンサに関する情報は、企業または自治体が所在する国または地域におけるインフルエンサの現在または将来の訪問に関する情報が含まれ、
【００１０】
前記インフルエンサ情報出力部は、企業または自治体の情報端末に対して、企業または自治体が所在する国または地域におけるインフルエンサの現在または将来の訪問に関する情報を出力することを特徴とする。
【００１１】
これによれば、国内の企業または自治体は、所望の国外のインフルエンサが自分たちの国または地域を訪問する日程や場所を把握することができる。
【００１２】
また、前記インフルエンサ情報出力部は、企業または自治体が所在する国または地域におけるインフルエンサの現在または将来の訪問に関する情報に基づいて、インフルエンサの現在または将来の所在地を地図情報上に出力するのが好ましい。これによれば、企業または自治体は、現在、どのインフルエンサがどの場所を訪問しているか、あるいは将来、どのインフルエンサがどの場所を訪問する予定なのかを簡単かつ確実に把握することができる。
【００１３】
また、前記サーバコンピュータは、企業または自治体に関する情報が登録される企業等情報データベース部と、インフルエンサの情報端末に対して、前記企業等情報データベース部に登録されている企業または自治体に関する情報を出力する企業等情報出力部とを備えるのが好ましい。これによれば、インフルエンサは、自分たちが訪問中または訪問予定の国や地域の企業または自治体の業務、製品あるいはサービスの内容を簡単かつ確実に把握することができる。
【００１４】
また、前記サーバコンピュータは、インフルエンサの情報端末と企業または自治体の情報端末の間において連絡の仲介処理を行う仲介処理部が設けられているのが好ましい。これによれば、インフルエンサと企業または自治体とが本システムを通じて簡単かつ確実に連絡を取り合うことができる。
【００１５】
また、前記サーバコンピュータは、インフルエンサの情報端末あるいは企業または自治体の情報端末から送信されてきた所定の情報の言語を異なる言語に翻訳する翻訳部が設けられているのが好ましい。これによれば、インフルエンサと企業または自治体とが、互いに異なる言語であっても、自分たちが理解可能な言語で相手の情報を把握したり、相手と連絡を取り合うことができる。
【発明の効果】
【００１６】
本発明によれば、国内の企業または自治体は、所望の国外のインフルエンサが自分たちの国または地域を訪問する日程や場所を把握することができる。このため、国内の企業または自治体は自分たちの国や地域を訪問中または訪問予定のインフルエンサに連絡をとることにより、所望のインフルエンサに自分たちの製品やサービスに触れてもらう可能性が高くなり、国外のインフルエンサと国内の企業または自治体を効率的にマッチングすることが可能となる。
【図面の簡単な説明】
【００１７】
【図１】本発明の実施形態に係るインフルエンサマッチングシステムの構成概略図である。
【図２】図１のサーバコンピュータの構成を示すブロック図である。
【図３】インフルエンサに関する情報（訪問場所と訪問日程）を入力するための画面を示す図である。
【図４】インフルエンサに関する情報の出力した画面を示す図である。
【図５】インフルエンサの現在または将来の所在地を地図情報上に出力した画面を示す図である。
【図６】企業または自治体に関する情報を出力した画面を示す図である。
【図７】企業または自治体がインフルエンサに連絡するための画面を示す図である。
【図８】インフルエンサが企業または自治体に連絡するための画面を示す図である。
【発明を実施するための形態】
【００１８】
次に、本発明に係るインフルエンサマッチングシステム（以下、本システムという）の実施形態について図面を参照しつつ説明する。
【００１９】
本システムは、図１に示すように、国外のインフルエンサと国内の企業または自治体とをマッチングするためのインフルエンサマッチングシステムであって、インフルエンサの情報端末(以下、インフルエンサ側情報端末１という）と、企業または自治体の情報端末（以下、企業等側情報端末２という）と、インフルエンサ側情報端末１と企業等側情報端末２とネットワークを介して接続されたサーバコンピュータ（以下、サーバ３という）とを備える。
【００２０】
このインフルエンサは、ＳＮＳによる情報発信において、世間に大きな影響を与える人物、特に人々の消費行動に強い影響を与える人物であって、例えばブロガー、ＹｏｕＴｕｂｅｒｓ、Ｉｎｓｔａｇｒａｍｍｅｒｓ，ジャーナリスト、メディアライター、ミュージシャン、スポーツ選手、料理人、ビジネスパーソン、アーティスト、モデル、作家などが挙げられる。一方、企業は、商品を販売したり、サービスを提供する法人が主であるが、個人事業者なども含まれる。また、自治体も、非営利で公的なサービスを提供する団体であって、市町村レベルから国レベルまで含まれる。
【００２１】
なお、インフルエンサ側情報端末１あるいは企業等側情報端末２は、ＰＣ、タブレット端末、スマートフォン、携帯電話、ウェアラブル端末など、インターネット等のネットワークに接続な端末であればよい。
【００２２】
前記サーバ３は、図２に示すように、インフルエンサ側情報端末１または企業等側情報端末２との間で情報通信を行う通信部３１と、インフルエンサに関する情報が登録されるインフルエンサ情報データベース部（以下、インフルエンサ情報ＤＢ３２という）と、企業または自治体に関する情報が登録される企業等情報データベース部（以下、企業等側情報ＤＢ３３という）と、後述する様々な機能を有する制御部３４とを備える。
【００２３】
前記制御部３４は、インフルエンサ情報登録部３４１、企業等情報登録部３４２、インフルエンサ情報出力部３４３、企業等情報出力部３４４、仲介処理部３４５および翻訳部３４６を備えており、以下、具体的に説明する。
【００２４】
前記インフルエンサ情報登録部３４１は、インフルエンサ側情報端末１からの要求に応じて、インフルエンサに関する情報をインフルエンサ情報ＤＢ３２に登録するものである。このインフルエンサに関する情報は、当該インフルエンサの名前（芸名などを含む）、出身国、性別、生年月日、ＳＮＳ上のプロフィール、過去の職歴などの一つまたは複数の情報などが挙げられる。
【００２５】
また、インフルエンサに関する情報は、企業または自治体が所在する国または地域（本実施形態では日本とする）におけるインフルエンサの現在または将来の訪問に関する情報が含まれる。このインフルエンサの現在または将来の訪問に関する情報は、図３に示すように、インフルエンサの現在または将来の訪問場所(Address while in Japan)や訪問日程(Date)に関する情報である。例えば、インフルエンサが日本国内を訪問中の場合(Currently in Japan)、インフルエンサが訪問している場所や日程に関する情報となる。また、インフルエンサが日本国内を訪問中でない場合でも、将来、日本国内を訪問する予定があれば(Planning to visit Japan)、インフルエンサが訪問する予定の場所や日程に関する情報となる。
【００２６】
なお、インフルエンサの現在または将来の訪問場所は、詳しい番地やホテル名などを含む詳細なレベルでもよいが、インフルエンサのプライバシーなどの関係上、都道府県や市町村の広域レベルであるのが好ましい。また、インフルエンサの訪問日程についても、時間レベルでもよいが、日や週のレベルであってもよい。
【００２７】
前記企業等情報登録部３４２は、企業等側情報端末２からの要求に応じて、企業または自治体に関する情報を企業等情報ＤＢ３３に登録するものである。この企業または自治体に関する情報は、当該企業または自治体の名称や業務に関する情報が含まれる。また、企業または自治体に関する情報は、例えば、インフルエンサに紹介してもらいたい商品やサービスに関する情報が含まれる。
【００２８】
前記インフルエンサ情報出力部３４３は、図４に示すように、企業等側情報端末２に対して、インフルエンサ情報ＤＢ３２に登録されている各インフルエンサに関する情報を出力する。また、前記インフルエンサ情報出力部３４３は、企業または自治体が所在する日本国内におけるインフルエンサの現在または将来の訪問に関する情報を出力する。本実施形態では、前記インフルエンサ情報出力部３４３は、図５に示すように、企業または自治体が所在する日本国内におけるインフルエンサの現在または将来の訪問に関する情報に基づいて、インフルエンサの現在または将来の所在地を地図情報上に出力する。
【００２９】
例えば、インフルエンサが日本国内を訪問中の場合、インフルエンサの現在の訪問日程と訪問場所に基づいて、インフルエンサの現在の所在地を示す情報としてインフルエンサの名前や識別番号を地図情報上に出力する。また、インフルエンサが日本国内を訪問予定の場合、インフルエンサの将来の訪問日程や訪問場所に基づいて、インフルエンサの将来の所在地を示す情報としてインフルエンサの名前や識別番号を地図情報上に出力する（図５では、地図情報上の「大阪」の表記付近に識別番号２が付されている）。これによれば、企業または自治体は、現在、どのインフルエンサがどの場所を訪問しているか、あるいは将来、どのインフルエンサがどの場所を訪問する予定なのかを簡単かつ確実に把握することができる。
【００３０】
前記企業等情報出力部３４４は、図６に示すように、インフルエンサ情報端末に対して、企業等情報ＤＢ３３に登録されている各企業または各自治体に関する情報をインフルエンサの情報端末に出力するものである。例えば、企業または自治体が、自社または地域の商品やサービスをインフルエンサに紹介してもらいたい場合、事前に企業等情報ＤＢ３３に登録しておけば、企業等情報出力部３４４が当該商品やサービスに関する情報を出力する。これによれば、インフルエンサは、どの企業や自治体がどのような商品やサービスを紹介してもらおうと考えているかを簡単かつ確実に把握することができる。
【００３１】
前記仲介処理部３４５は、インフルエンサ側情報端末１と企業等側情報端末２の間において連絡の仲介処理を行うものである。具体的には、仲介処理部３４５は、図７に示すように、企業等側情報端末２からサーバ３コンピュータに対して入力画面を通じて連絡の要求があると、該企業等側情報端末２からの要求に応じてインフルエンサ側情報端末１に対して、企業名や連絡先（メールアドレスやＳＮＳアカウントなど）の所定の情報を送信する。一方、仲介処理部３４５は、図８に示すように、インフルエンサ側情報端末１からサーバ３コンピュータに対して入力画面を通じて連絡の要求があると、該インフルエンサ側情報端末１からの要求に応じて企業等側情報端末２に対して、企業または自治体の名称や連絡先（メールアドレスやＳＮＳアカウントなど）の所定の情報を送信する。これにより、インフルエンサと企業または自治体とがＥメールやＳＮＳにより連絡を取り合うことができる。
【００３２】
前記翻訳部３４６は、インフルエンサ側情報端末１または企業等側情報端末２から送信されてきた情報を所定の言語に翻訳するものである。具体的には、翻訳部３４６は、インフルエンサ側情報端末１から送信されてきたインフルエンサに関する情報の言語（英語などの外国語）を機械またはＡＩ（人工知能）により異なる言語（日本語）に翻訳する。一方、翻訳部３４６は、企業等側情報端末２から送信されてきた企業または自治体に関する情報の言語（日本語）を機械またはＡＩ（人工知能）により別の言語（英語などの外国語）に翻訳する。これにより日本国内の企業または自治体は、国外のインフルエンサに関する情報を日本語で把握することができる一方、国外のインフルエンサは、日本国内の企業や自治体に関する情報を自国や英語などの所定の言語で把握することができる。また、日本国内の企業または自治体と国外のインフルエンサとが、互いに自分たちが理解可能な言語で連絡を取り合うことができる。
【００３３】
而して、本システムによれば、国内の企業または自治体は、所望の国外のインフルエンサが自分たちの国または地域を訪問する日程や場所を把握することができる。このため、国内の企業または自治体は自分たちの国や地域を訪問中または訪問予定のインフルエンサに連絡をとることにより、所望のインフルエンサに自分たちの製品やサービスに触れてもらう可能性が高くなり、国外のインフルエンサと国内の企業または自治体を効率的にマッチングすることが可能となる。
【００３４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００３５】
１…インフルエンサ側情報端末
２…企業等側情報端末
３…サーバコンピュータ
３１…通信部
３２…インフルエンサ情報ＤＢ
３３…企業等情報ＤＢ
３４…制御部
３４１…インフルエンサ情報登録部
３４２…企業等情報登録部
３４３…インフルエンサ情報出力部
３４４…企業等情報出力部
３４５…仲介処理部
３４６…翻訳部
【図１】
2020113153.tif 000003
【図２】
2020113153.tif 000004
【図３】
2020113153.tif 000005
【図４】
2020113153.tif 000006
【図５】
2020113153.tif 000007
【図６】
2020113153.tif 000008
【図７】
2020113153.tif 000009
【図８】
2020113153.tif 000010